(57)【要約】  ２つの物理チャネルを用いるサービスを受信するために、移動体端末が２つの物理チャネルの同時受信を可能にする方法及び装置が提供される。一実施形態において、サービスデータ及び制御情報は、非同時性方式で別々の物理チャネルで伝送される。その際、データが伝送される物理チャネルが、制御情報が伝送される他の物理チャネル上で制御情報を利用可能な時の通知を含み、サービスデータ及び制御情報を受信するために２つの物理チャネルの間を移動体端末がスイッチングすることを容易にする。他の実施形態において、サービスデータ及び制御情報は単一物理チャネル上で伝送されて、サービスデータ及び制御情報を受信するために２つの物理チャネル間を移動体端末がスイッチングする必要を排除する。【選択図】図１
2007503154.tif 000002
【特許請求の範囲】
【請求項１】
端末でサービスを受信する方法であって、
第１チャネルを介してデータと制御情報インジケータを受信するステップであって、前記データが前記サービスと関連しており、かつ前記制御情報インジケータが第２チャネルを介した制御情報の伝送を指示する、前記受信するステップと、
前記サービスと他のサービスの少なくとも一つに関連する制御情報を、前記制御情報インジケータによって、前記第２チャネルを介して受信するステップと、
を含むことを特徴とするサービス受信方法。
【請求項２】
前記サービスはポイントツーマルチポイントのサービスであることを特徴とする請求項１に記載のサービス受信方法。
【請求項３】
前記データはポイントツーマルチポイントデータであり、前記制御情報はポイントツーマルチポイントの制御情報であることを特徴とする請求項１に記載のサービス受信方法。
【請求項４】
前記データと制御情報は同時に受信されないことを特徴とする請求項１に記載のサービス受信方法。
【請求項５】
前記制御情報インジケータを受信すると、前記第２チャネルで前記制御情報を受信するために、前記第１チャネルから前記第２チャネルにスイッチングするステップを更に含むことを特徴とする請求項１に記載のサービス受信方法。
【請求項６】
前記制御情報を受信すると、前記第２チャネルで前記データを受信するために、前記第２チャネルから前記第１チャネルにスイッチングするステップを更に含むことを特徴とする請求項１に記載のサービス受信方法。
【請求項７】
前記第２チャネルを介してデータ受信インジケータを受信するステップを更に含むことを特徴とする請求項１に記載のサービス受信方法。
【請求項８】
前記データ受信インジケータを受信すると、前記第１チャネルで前記データを受信するために、前記第２チャネルから前記第１チャネルにスイッチングするステップを更に含むことを特徴とする請求項７に記載のサービス受信方法。
【請求項９】
前記第１チャネルおよび第２チャネルは物理チャネルであることを特徴とする請求項１に記載のサービス受信方法。
【請求項１０】
前記データと前記制御情報インジケータは第１論理チャネルにマッピングされ、前記制御情報は第２論理チャネルにマッピングされることを特徴とする請求項９に記載のサービス受信方法。
【請求項１１】
前記第１論理チャネルはＭＴＣＨであり、前記第２論理チャネルはＭＣＣＨであることを特徴とする請求項１０に記載のサービス受信方法。
【請求項１２】
前記データは第１論理チャネルにマッピングされ、前記制御情報インジケータは第２論理チャネルにマッピングされ、前記制御情報は第３論理チャネルにマッピングされることを特徴とする請求項９に記載のサービス受信方法。
【請求項１３】
前記第１論理チャネルはＭＴＣＨであり、前記第２論理チャネルは第２ＭＣＣＨチャネルであり、前記第３論理チャネルは主ＭＣＣＨチャネルであることを特徴とする請求項１２に記載のサービス受信方法。
【請求項１４】
前記データと制御情報は同時に受信されないことを特徴とする請求項１２に記載のサービス受信方法。
【請求項１５】
端末でサービスを受信する方法であって、
第１チャネルを介してデータと制御情報インジケータを受信するステップであって、前記データは前記サービスと関連しており、前記制御情報インジケータは第２チャネルを介して前記サービスおよび他のサービスの少なくとも一つと関連のある制御情報の伝送を指示する、前記受信するステップと、
前記制御情報インジケータを基にして前記制御情報を受信するか否かを決定するステップと、
前記制御情報を受信するために前記第２チャネルにスイッチングするか、あるいはスイッチングしないステップと、
を含むことを特徴とするサービス受信方法。
【請求項１６】
前記第１チャネルから前記第２チャネルへのスイッチングは、前記制御情報インジケータが前記端末が前記制御情報を受信するべきことを指示する場合に実施されることを特徴とする請求項１５に記載のサービス受信方法。
【請求項１７】
前記第１チャネルから前記第２チャネルへのスイッチングは前記端末が前記サービスに加入した場合に実施されることを特徴とする請求項１５に記載のサービス受信方法。
【請求項１８】
前記サービスはポイントツーマルチポイントのサービスであることを特徴とする請求項１５に記載のサービス受信方法。
【請求項１９】
前記データはポイントツーマルチポイントのデータであり、前記制御情報はポイントツーマルチポイントの制御情報であることを特徴とする請求項１５に記載のサービス受信方法。
【請求項２０】
前記データと制御情報は同時に受信されないことを特徴とする請求項１５に記載のサービス受信方法。
【請求項２１】
端末でサービスを受信する方法であって、
前記サービスおよび他のサービスの少なくとも一つと関連した第１制御情報を第１ポイントツーマルチポイントチャネルを介して受信するステップと、
第２ポイントツーマルチポイントチャネルを設定するステップと、
前記第２ポイントツーマルチポイントチャネルを介して前記サービスと関連したデータを受信し、かつ前記サービスと他のサービスの少なくとも一つと関連のある第２制御情報を受信するステップと、を含み、
前記第１および第２ポイントツーマルチポイントチャネルは前記サービスと関連があることを特徴とするサービス受信方法。
【請求項２２】
前記第１制御情報は前記第２ポイントツーマルチポイントチャネルに関する情報と関連があることを特徴とする請求項２１に記載のサービス受信方法。
【請求項２３】
前記データと第２制御情報は前記第１制御情報により受信されることを特徴とする請求項２１に記載のサービス受信方法。
【請求項２４】
前記第２制御情報は前記端末が前記サービスに加入することを指示することを特徴とする請求項２１に記載のサービス受信方法。
【請求項２５】
前記サービスはポイントツーマルチポイントＭＢＭＳサービスであることを特徴とする請求項２１に記載のサービス受信方法。
【請求項２６】
前記第１ポイントツーマルチポイントチャネルおよび第２ポイントツーマルチポイントチャネルは物理チャネルであることを特徴とする請求項２１に記載のサービス受信方法。
【請求項２７】
前記第１ポイントツーマルチポイントチャネルは主ＳＣＣＰＣＨチャネルであり、前記第２ポイントツーマルチポイントチャネルは副ＳＣＣＰＣＨチャネルであることを特徴とする請求項２６に記載のサービス受信方法。
【請求項２８】
前記第１制御情報を受信するステップは主ＭＣＣＨチャネルを設定するステップを含むことを特徴とする請求項２６に記載のサービス受信方法。
【請求項２９】
前記主ＭＣＣＨチャネルを設定するステップはブロードキャスト制御チャネル、ページングチャネル、ページングインジケータチャネルのうち、何れか一つを受信するステップを含むことを特徴とする請求項２８に記載のサービス受信方法。
【請求項３０】
第２ＭＣＣＨチャネルは前記主ＭＣＣＨチャネルを介して受信された前記情報を基にして設定されることを特徴とする請求項２８に記載のサービス受信方法。
【請求項３１】
前記データと第２制御情報は同じ論理チャネルにマッピングされることを特徴とする請求項２６に記載のサービス受信方法。
【請求項３２】
前記データは第１論理チャネルにマッピングされ、前記第２制御情報は第２論理チャネルにマッピングされることを特徴とする請求項２６に記載のサービス受信方法。
【請求項３３】
前記第１論理チャネルはＭＴＣＨであり、前記第２論理チャネルはＭＣＣＨであることを特徴とする請求項３２に記載のサービス受信方法。
【請求項３４】
前記データは第１論理チャネルおよび第３論理チャネルにマッピングされることを特徴とする請求項３２に記載のサービス受信方法。
【請求項３５】
前記第１論理チャネルは主ＭＴＣＨチャネルであり、前記第３論理チャネルは副ＭＴＣＨチャネルであることを特徴とする請求項３４に記載のサービス受信方法。
【請求項３６】
端末にサービスを提供する方法であって、
第１チャネルを介してデータと制御情報インジケータを受信するステップであって、前記データは前記サービスと関連しており、前記制御情報インジケータは第２チャネルを介した制御情報の伝送を指示する、前記受信するステップと、
前記サービスと他のサービスの少なくとも一つと関連のある制御情報を前記制御情報インジケータによって前記第２チャネルを介して伝送するステップと、
を含むことを特徴とするサービス伝送方法。
【請求項３７】
前記サービスはポイントツーマルチポイントサービスであることを特徴とする請求項３６に記載のサービス伝送方法。
【請求項３８】
前記データはポイントツーマルチポイントデータであり、前記制御情報はポイントツーマルチポイント制御情報であることを特徴とする請求項３６に記載のサービス伝送方法。
【請求項３９】
前記データと制御情報は同時に伝送されないことを特徴とする請求項３６に記載のサービス伝送方法。
【請求項４０】
前記第２チャネルを介してデータ受信インジケータを伝送するステップを更に含むことを特徴とする請求項３６に記載のサービス伝送方法。
【請求項４１】
前記第１チャネルおよび第２チャネルは物理チャネルであることを特徴とする請求項３６に記載のサービス伝送方法。
【請求項４２】
前記データと前記制御情報インジケータは第１論理チャネルにマッピングされ、前記制御情報は第２論理チャネルにマッピングされることを特徴とする請求項４１に記載のサービス伝送方法。
【請求項４３】
前記第１論理チャネルはＭＴＣＨであり、前記第２論理チャネルはＭＣＣＨであることを特徴とする請求項４２に記載のサービス伝送方法。
【請求項４４】
前記データは第１論理チャネルにマッピングされ、前記制御情報インジケータは第２論理チャネルにマッピングされ、前記制御情報は第３論理チャネルにマッピングされることを特徴とする請求項４１に記載のサービス伝送方法。
【請求項４５】
前記第１論理チャネルはＭＴＣＨであり、前記第２論理チャネルは第２ＭＣＣＨチャネルであり、前記第３論理チャネルは主ＭＣＣＨチャネルであることを特徴とする請求項４４に記載のサービス伝送方法。
【請求項４６】
前記データと制御情報は同時に伝送されないことを特徴とする請求項４４に記載のサービス伝送方法。
【請求項４７】
端末にサービスを提供する方法であって、
第１ポイントツーマルチポイントチャネルを介して前記サービスおよび他のサービスの少なくとも一つと関連のある第１制御情報を伝送するステップと、
第２ポイントツーマルチポイントチャネルが設定されると、前記第２ポイントツーマルチポイントチャネルを介して前記サービスと関連したデータを伝送し、かつ前記サービスと他のサービスの少なくとも一つと関連のある第２制御情報を伝送するステップと、を含み、
前記第１および第２ポイントツーマルチポイントチャネルは前記サービスに関連していることを特徴とするサービス伝送方法。
【請求項４８】
前記第１制御情報は前記第２ポイントツーマルチポイントチャネルに関する情報と関連していることを特徴とする請求項４７に記載のサービス伝送方法。
【請求項４９】
前記第２制御情報は前記端末が前記サービスに加入したことを指示することを特徴とする請求項４７に記載のサービス伝送方法。
【請求項５０】
前記サービスはポイントツーマルチポイントＭＢＭＳサービスであることを特徴とする請求項４７に記載のサービス伝送方法。
【請求項５１】
前記第１ポイントツーマルチポイントチャネルおよび第２ポイントツーマルチポイントチャネルは物理チャネルであることを特徴とする請求項４７に記載のサービス伝送方法。
【請求項５２】
前記第１ポイントツーマルチポイントチャネルは主ＳＣＣＰＣＨチャネルであり、前記第２ポイントツーマルチポイントチャネルは副ＳＣＣＰＣＨチャネルであることを特徴とする請求項５１に記載のサービス伝送方法。
【請求項５３】
前記データと第２制御情報は同じ論理チャネルにマッピングされることを特徴とする請求項５１に記載のサービス伝送方法。
【請求項５４】
前記データは第１論理チャネルにマッピングされ、前記第２制御情報は第２論理チャネルにマッピングされることを特徴とする請求項５１に記載のサービス伝送方法。
【請求項５５】
前記第１論理チャネルはＭＴＣＨであり、前記第２論理チャネルはＭＣＣＨであることを特徴とする請求項５４に記載のサービス伝送方法。
【請求項５６】
前記データは第１論理チャネルおよび第３論理チャネルにマッピングされることを特徴とする請求項５４に記載のサービス伝送方法。
【請求項５７】
前記第１論理チャネルは主ＭＴＣＨチャネルであり、前記第３論理チャネルは副ＭＴＣＨチャネルであることを特徴とする請求項５６に記載のサービス伝送方法。
【請求項５８】
端末にサービスを提供するネットワークであって、
第１チャネルを介して前記端末にデータと制御情報インジケータを伝送し、第２チャネルを介して前記端末に制御情報を伝送する送信器と、
前記端末から情報を受信する受信器と、
前記第１チャネルを介して前記サービスと関連したデータを提供するとともに第２チャネルを介した制御情報の伝送を指示する制御情報インジケータを提供し、さらに、前記サービスと他のサービスの少なくとも一つと関連のある制御情報を前記第２チャネルを介して提供する制御装置と、
を含むことを特徴とするネットワーク。
【請求項５９】
前記データと制御情報は同時に伝送されないことを特徴とする請求項５８に記載のネットワーク。
【請求項６０】
前記サービスはポイントツーマルチポイントサービスであることを特徴とする請求項５８に記載のネットワーク。
【請求項６１】
前記データはポイントツーマルチポイントデータであり、前記制御情報はポイントツーマルチポイント制御情報であることを特徴とする請求項５８に記載のネットワーク。
【請求項６２】
前記制御装置は前記第２チャネルを介してデータ受信インジケータを伝送することを特徴とする請求項５８に記載のネットワーク。
【請求項６３】
前記制御装置は前記データと前記制御情報インジケータを第１論理チャネルにマッピングさせ、前記制御情報を第２論理チャネルにマッピングさせることを特徴とする請求項５８に記載のネットワーク。
【請求項６４】
前記制御装置は前記データを第１論理チャネルにマッピングさせ、前記制御情報インジケータを第２論理チャネルにマッピングさせ、前記制御情報を第３論理チャネルにマッピングさせることを特徴とする請求項５８に記載のネットワーク。
【請求項６５】
前記データと制御情報は同時に伝送されないことを特徴とする請求項６４に記載のネットワーク。
【請求項６６】
端末にサービスを提供するネットワークであって、
前記端末に第１ポイントツーマルチポイントチャネルを介して第１制御情報を伝送し、第２ポイントツーマルチポイントチャネルを介してデータと第２制御情報を伝送する送信器と、
前記端末から情報を受信する受信器と、
前記第１ポイントツーマルチポイントチャネルを介して前記サービスおよび他のサービスの少なくとも一つと関連のある第１制御情報を提供し、前記第２ポイントツーマルチポイントチャネルが設定されると前記第２ポイントツーマルチポイントチャネルを介して前記サービスと関連したデータと、前記サービスと他のサービスの少なくとも一つと関連のある第２制御情報とを提供する制御装置と、
を含むことを特徴とするネットワーク。
【請求項６７】
前記第１制御情報は前記第２ポイントツーマルチポイントチャネルに関する情報と関連があり、前記端末が前記サービスに加入したことを指示することを特徴とする請求項６６に記載のネットワーク。
【請求項６８】
前記サービスはポイントツーマルチポイントＭＢＭＳサービスであることを特徴とする請求項６６に記載のネットワーク。
【請求項６９】
前記制御装置は前記データと第２制御情報を同じ論理チャネルにマッピングさせることを特徴とする請求項６６に記載のネットワーク。
【請求項７０】
前記制御装置は前記データを第１論理チャネルにマッピングさせ、 前記第２制御情報を第２論理チャネルにマッピングさせることを特徴とする請求項６６に記載のネットワーク。
【請求項７１】
前記制御装置は前記データを第１論理チャネルおよび第３論理チャネルにマッピングさせることを特徴とする請求項７０に記載のネットワーク。
【請求項７２】
ネットワークからサービスを受信する移動体通信装置であって、
第１チャネルを介してデータと制御情報インジケータを受信し、第２チャネルを介して制御情報を受信するＲＦモジュールと、
第１チャネルを介してデータと制御情報インジケータを受信し、第２チャネルを介して制御情報を受信するアンテナと、
ユーザが情報を入力するキーパッドと、
前記データと制御情報を格納する格納ユニットと、
前記ユーザに情報を伝達するディスプレイと、
前記サービスおよび他のサービスの少なくとも一つと関連のある制御情報を前記第２チャネルを介して受信するために、前記サービスと関連のあるデータを処理し、かつ前記サービスおよび他のサービスの少なくとも一つと関連のある前記制御情報インジケータを処理するプロセッシングユニットと、
を含むことを特徴とする移動体通信装置。
【請求項７３】
前記サービスはポイントツーマルチポイントサービスであることを特徴とする請求項７２に記載の移動体通信装置。
【請求項７４】
前記データはポイントツーマルチポイントデータであり、前記制御情報はポイントツーマルチポイント制御情報であることを特徴とする請求項７２に記載の移動体通信装置。
【請求項７５】
前記データと制御情報は同時に受信されないことを特徴とする請求項７２に記載の移動体通信装置。
【請求項７６】
前記プロセッシングユニットは前記制御情報インジケータを受信すると、前記第１チャネルから前記第２チャネルにスイッチングすることを特徴とする請求項７２に記載の移動体通信装置。
【請求項７７】
前記プロセッシングユニットは、前記制御情報を受信すると、前記第２チャネルから前記第１チャネルにスイッチングすることを特徴とする請求項７２に記載の移動体通信装置。
【請求項７８】
前記ＲＦモジュールは前記第２チャネルを介してデータ受信インジケータを受信し、前記プロセッシングユニットは、前記データ受信インジケータを受信すると、前記第２チャネルから前記第１チャネルにスイッチングすることを特徴とする請求項７２に記載の移動体通信装置。
【請求項７９】
前記プロセッシングユニットは前記データと前記制御情報インジケータを第１論理チャネルにマッピングし、前記制御情報を第２論理チャネルにマッピングすることを特徴とする請求項７２に記載の移動体通信装置。
【請求項８０】
前記プロセッシングユニットは前記データを第１論理チャネルにマッピングし、前記制御情報インジケータを第２論理チャネルにマッピングし、前記制御情報を第３論理チャネルにマッピングすることを特徴とする請求項７２に記載の移動体通信装置。
【請求項８１】
前記データと制御情報は同時に受信されないことを特徴とする請求項８０に記載の移動体通信装置。
【請求項８２】
前記プロセッシングユニットは、
前記制御情報インジケータを基にして前記制御情報を受信するか否かを決定し、
前記制御情報を受信するために前記第２チャネルにスイッチングするか、あるいはスイッチングしないことを特徴とする請求項７２に記載の移動体通信装置。
【請求項８３】
前記端末が前記制御情報を受信することを前記制御情報インジケータが指示すれば、前記プロセッシングユニットは前記第１チャネルから前記第２チャネルにスイッチングすることを特徴とする請求項８２に記載の移動体通信装置。
【請求項８４】
前記端末が前記サービスに加入した場合、前記プロセッシングユニットが前記第１チャネルから前記第２チャネルにスイッチングすることを特徴とする請求項８２に記載の移動体通信装置。
【請求項８５】
前記サービスはポイントツーマルチポイントサービスであることを特徴とする請求項８２に記載の移動体通信装置。
【請求項８６】
前記データはポイントツーマルチポイントデータであり、前記制御情報はポイントツーマルチポイント制御情報であることを特徴とする請求項８２に記載の移動体通信装置。
【請求項８７】
前記データと制御情報は同時に受信されないことを特徴とする請求項８２に記載の移動体通信装置。
【請求項８８】
ネットワークからサービスを受信する移動体通信装置であって、
前記サービスと関連した第１ポイントツーマルチポイントチャネルを介して第１制御情報を受信し、前記サービスと関連した第２ポイントツーマルチポイントチャネルを介してデータと第２制御情報を受信するＲＦモジュールと、
前記サービスと関連した第１ポイントツーマルチポイントチャネルを介して第１制御情報を受信し、前記サービスと関連した第２ポイントツーマルチポイントチャネルを介してデータと第２制御情報を受信するアンテナと、
ユーザが情報を入力するキーパッドと、
前記第１制御情報、データ、第２制御情報を格納する格納ユニットと、
前記ユーザに情報を伝達するディスプレイと、
前記第１ポイントツーマルチポイントチャネルを介して受信された、前記サービスおよび他のサービスの少なくとも一つと関連がある制御情報を処理し、かつ、前記サービスと関連のある前記データと、前記サービスや他のサービスの少なくとも一つと関連のある前記第２制御情報とを、前記第２ポイントツーマルチポイントチャネルを介して受信して処理するために前記第２ポイントツーマルチポイントチャネルを設定するプロセッシングユニットと、
を含むことを特徴とする移動体通信装置。
【請求項８９】
前記第１制御情報を前記第２ポイントツーマルチポイントチャネルに関する情報と関連があることを特徴とする請求項８８に記載の移動体通信装置。
【請求項９０】
前記プロセッシングユニットは前記第１制御情報によって前記データと第２制御情報を受信することを特徴とする請求項８８に記載の移動体通信装置。
【請求項９１】
前記第２制御情報は前記端末が前記サービスに加入したことを指示することを特徴とする請求項８８に記載の移動体通信装置。
【請求項９２】
前記サービスはポイントツーマルチポイントサービスであることを特徴とする請求項８８に記載の移動体通信装置。
【請求項９３】
前記プロセッシングユニットは前記第１制御情報を受信するために主ＭＣＣＨチャネルを設定することを特徴とする請求項８８に記載の移動体通信装置。
【請求項９４】
前記プロセッシングユニットはブロードキャスト制御チャネル、ページングチャネル、ページングインジケータチャネルのいずれか一つを受信して、前記主ＭＣＣＨチャネルを設定することを特徴とする請求項９３に記載の移動体通信装置。
【請求項９５】
前記プロセッシングユニットは主ＭＣＣＨチャネルで受信された情報に基づいて２次ＭＣＣＨチャネルを設定することを特徴とする請求項９３に記載の移動体通信装置。
【請求項９６】
前記プロセッシングユニットは前記データと第２制御情報を同じ論理チャネルに更にマッピングすることを特徴とする請求項８８に記載の移動体通信装置。
【請求項９７】
前記プロセッシングユニットは前記データを第１論理チャネルにマッピングして、前記第２制御情報を第２論理チャネルに更にマッピングすることを特徴とする請求項８８に記載の移動体通信装置。
【請求項９８】
前記プロセッシングユニットは前記データを第１論理チャネルおよび第３論理チャネルに更にマッピングすることを特徴とする請求項９７に記載の移動体通信装置。
【発明の詳細な説明】
【技術分野】
【０００１】
本発明は、通信システムに提供されたパケットデータサービスに関し、特に、パケットデータとそれに関連した制御情報を受信するための別々の物理チャネルを用いて、サービスパケットデータと関連した制御情報を移動体端末に伝送したり、移動体端末から受信する方法および装置に関する。
【背景技術】
【０００２】
ＵＭＴＳ（Universal Mobile Telecommunications System）は、ヨーロッパ式標準である移動体通信システム用グローバルシステムから発展した第３世代移動体通信システムである。ＵＭＴＳはＧＳＭコアネットワークとワイドバンド符号分割多元接続技術をベースにして強化された移動体通信サービスを提供することを目指している。
【０００３】
従来のＵＭＴＳネットワーク構造１が図１に示される。一つの移動体端末またはユーザ機器（ＵＥ）２はＵＴＲＡＮ（UTMS terrestrial radio access network）６を通じてコアネットワーク４に連結される。ＵＴＲＡＮ６はサービス品質の最高品質を満足させるためにＵＥ２とコアネットワーク４との間に通信するための無線アクセスベアラー（bearer）を構成し、維持し、管理する。
【０００４】
ＵＴＲＡＮ６は各々が複数の基地局１２または「ノードＢ」用の無線ネットワーク制御器（ＲＮＣ）１０を含む複数の無線ネットワーサブシステム８を含む。所定の基地局１２に連結されたＲＮＣ１０は、一つのセル内で動作する任意の数のＵＥに提供された共通リソースを割り当て、かつ管理するための制御ＲＮＣである。制御ＲＮＣ１０はトラフィック負荷、セル輻輳、新たな無線リンクの受入を制御する。各ノードＢ１２はＵＥ２からアップリンク信号を受信し、ダウンリンク信号をＵＥに伝送する。各ノードＢ１２はＵＥ２をＵＴＲＡＮ６に連結するアクセスポイントとして作用し、ＲＮＣ１０は対応するノードＢをコアネットワーク４に連結するためのアクセスポイントとして作用する。
【０００５】
ＵＴＲＡＮ６の無線ネットワークサブシステム８の中で、サービングＲＮＣ１０は特定のＵＥ２へのサービス提供のための専用無線リソースを管理するＲＮＣであり、特定ＵＥへのデータ伝送のためのコアネットワーク４に対するアクセスポイントである。ＵＥ２に連結された他の全てのＲＮＣ１０はドリフトＲＮＣであり。ＵＥをＵＴＲＡＮ４を介してコアネットワーク４に連結するのは一つのサービングＲＮＣのみである。
【０００６】
ＵＥ２とＵＴＲＡＮ６との間のインターフェースは、物理層Ｌ１、データリンク層Ｌ２、ネットワーク層Ｌ３を記述する３ＧＰＰ無線アクセスネットワーク仕様により設定された無線インターフェースプロトコルによって実現される。制御プレーンはインターフェースのメンテナンスと管理のための制御情報を搬送するのに用いられ、ユーザプレーンは、例えば音声信号やインターネットプロトコルパケット伝送などのデータトラフィックを搬送するのに用いられる。従来の無線インターフェースプロトコルのアーキテクチャーが図２に示されている。
【０００７】
物理ＰＨＹ層は情報伝送サービスを上位層に提供し、トランスポートチャネルを介してＭＡＣ（medium access control）層にリンクされる。ＭＡＣ層はＭＡＣ−ｂエンティティ、ＭＡＣ−ｄエンティティ、ＭＡＣ−ｃ／ｓｈエンティティを含む。
【０００８】
ＭＡＣ−ｂエンティティはシステム情報のブロードキャストを担当するトランスポートチャネルとしてブロードキャストチャネルを管理する。ＭＡＣ−ｃ／ｓｈエンティティーは、一つのＭＡＣ−ｃ／ｓｈエンティティが各セルに存在し、サービングＲＮＣ１０に位置するように、セル内の他のＵＥ２と共有される共通トランスポートチャネル、例えばフォワードアクセスチャネルとダウンリンク共有チャネルを管理する。したがって、各ＵＥ２は一つのＭＡＣ−ｃ／ｓｈエンティティを備える。ＭＡＣ−ｄエンティティは、ＭＡＣ−ｄエンティティがサービングＲＮＣ１０に位置し、各ＵＥが一つのＭＡＣ−ｄエンティティを備えるように、特定のＵＥ２に関する専用トランスポートチャネルを管理する。
【０００９】
ＲＬＣ（radio link control）層は信頼性あるデータの伝送を支援し、上位層から伝えられたＲＬＣサービスデータユニットの分割と連結（segmentation and concatenation）を担当する。ＲＬＣサービスデータユニットの大きさはＲＬＣ層内の処理能力に合うように調節され、ヘッダはＭＡＣ層への配信のためのＲＬＣプロトコルデータユニットを形成するために付加される。
【００１０】
上位層から伝えられたサービスデータの形成ユニットおよびプロトコルデータの形成ユニットはＲＬＣ層のＲＬＣバッファーに格納される。ＲＬＣサービスは、ユーザプレーン上で、サービスの特定のプロトコル層、即ち、ＢＭＣ（broadcast／multicast control）プロトコルおよびＰＤＣＰ（packet data convergence protocol）により用いられ、かつシグナリングトランスポートのために制御プレーン上で無線リソース制御ＲＲＣにより用いられる。
【００１１】
ＢＭＣ層はコアネットワークから伝えられたセルブロードキャストメッセージをスケジューリングし、セルブロードキャストメッセージを適切なセル内の対応するＵＥ２にブロードキャストできるようにする。例えば、メッセージ識別子、一連番号、コーディングスキームなどのヘッダ情報がセルブロードキャストメッセージに付加され、ＲＬＣ層への配信のためのブロードキャスト／マルチキャスト制御メッセージを生成する。
【００１２】
ＲＬＣ層はＲＬＣヘッダ情報を付加し、これによって形成されたメッセージを論理チャネルとして共通トラフィックチャネルを介してＭＡＣ層に伝送する。ＭＡＣ層は共通トラフィックチャネルをトランスポートチャネルとしてフォワードアクセスチャネルにマッピングする。トランスポートチャネルは物理チャネルとして第２の共通制御物理チャネルにマッピングされる。
【００１３】
ＰＤＣＰ層は比較的小さな帯域幅を有する無線インターフェースを介してデータを効率よく伝送する作用をする。ＰＤＣＰ層は、Ｉｐｖ４またはＩｐｖ６などのネットワークプロトコルを用い、かつワイヤーネットワークで利用される、不要な制御情報を除去するためのヘッダ圧縮技術を用いる。ヘッダに欠くことのできない情報のみが伝送に含まれるので、ＰＤＣＰ層は伝送効率を高めることができる。
【００１４】
ＲＲＣ層はＵＥ２とＵＴＲＡＮ６との間のネットワーク層（Ｌ３）の制御プレーンのシグナリングを操作し、無線ベアラーを設定し、再構成し、解除するためにトランスポートチャネルと物理チャネルを制御する。無線ベアラーは、ＵＥ２とＵＴＲＡＮ６との間のデータ伝送のための下位層、例えばＲＬＣ層またはＭＡＣ層により提供されるサービスである。
【００１５】
無線ベアラーの設定は特定のサービスを提供するのに必要なプロトコル層とチャネルの規則的な特徴を決定し、サービスのパラメータと動作方法を設定する。特定のＵＥ２とＵＴＲＡＮ６のＲＲＣ層との間に伝送を許すように連結が設定されると、ＵＥはＲＲＣ連結状態にあると言われる。このような連結がなければ、ＵＥ２はアイドル状態にある。
【００１６】
ＭＡＣ層の前述したエンティティに加えて、ＭＡＣ−ｍエンティティが、ポイントツーマルチポイントサービス、例えばＭＢＭＳ（multimedia broadcast/multicast service）のためのユーザプレーンと制御プレーンの伝送を支援し、ＭＢＭＳ関連トランスポートチャネルのスケジューリングを操作するために提供される。ＭＢＭＳは、ポイントツーマルチポイントおよびポイントツーポイント双方の無線ベアラーサービスを利用するダウンリンク専用ＭＢＭＳ無線ベアラーを用いる複数のＵＥ２に提供されたストリーミングまたはバックグラウンドサービスである。
【００１７】
名前が示唆するように、ＭＢＭＳはブロードキャストモードまたはマルチキャストモードで実施される。ブロードキャストモードは、ブロードキャスト領域、例えばブロードキャストサービスが利用可能なドメイン内の全てのＵＥ２にマルチメディアデータを伝送するためのものである。マルチキャストモードはマルチキャスト領域、例えばマルチキャストサービスが利用可能なドメイン内の特定のＵＥ２グループにマルチメディアデータを伝送するためのものである。
【００１８】
ＵＭＴＳネットワーク１がマルチキャストモードを用いる特定のＭＢＭＳを提供する際、サービスが提供されるＵＥ２は、サービス提供者と各ＵＥとの間の関係を設定する加入手順をまず完了しなければならない。その後、加入者ＵＥ２は、コアネットワーク４から、加入を確認し、例えば提供されるサービスのリストを含むサービスアナウンスメントを受信する。
【００１９】
加入者ＵＥ２は特定のＭＢＭＳを受信してネットワークにサービス受信の意図を通知するＵＥのマルチキャストグループに「入会」すなわち参加しなければならない。サービスの参加終了は「離脱」と呼ばれる。加入、入会、離脱の動作はデータ伝達前、間または後のどの時点かで各ＵＥ２により実施される。
【００２０】
特定のＭＢＭＳが進行する間、一つ以上のサービスセッションが順次生じ、コアネットワーク４はセッション開始のＲＮＣ１０にデータがＭＢＭＳデータソースにより発生される時を通知し、セッション停止のＲＮＣ１０にデータ伝送が中断される時を通知する。したがって、特定のＭＢＭＳに対するデータ伝送は、参加ＵＥのみがデータを受信することができる時間の間、セッションの開始と停止の間の時間に実施される。
【００２１】
成功裏にデータ伝送を達成するために、ＵＴＲＡＮ６はコアネットワーク４からセッション開始の通知を受信し、データ伝送が差し迫ったことを表すために、セル内の予め定められた参加ＵＥ２にＭＢＭＳ通知を伝送する。ＵＴＲＡＮ６はＭＢＭＳ通知を用いてセル内の予め定められた参加ＵＥ２の数をカウントする。
【００２２】
カウンティングプロセスによって、特定のＭＢＭＳを提供する無線ベアラーが、ポイントツーマルチポイント伝送かまたはポイントツーポイント伝送のどちらであるかを判定する。特定のサービス用ＭＢＭＳ無線ベアラーを選択するために、ＵＴＲＡＮ６はＵＥ２カウントに対応するしきい値を設定して、低いＵＥカウントならポイントツーポイントＭＢＭＳ無線ベアラーを設定し、高いＵＥカウントならポイントツーマルチポイントＭＢＭＳ無線ベアラーを設定する。
【００２３】
無線ベアラーの決定は、参加ＵＥ２がＲＲＣ連結状態にいる必要があるか否かに基づく。ポイントツーポイント無線ベアラーが設定されると、参加ＵＥ２の全てはＲＲＣ連結状態にあることになる。ポイントツーマルチポイント無線ベアラーが設定される際、ポイントツーマルチポイント無線ベアラーがアイドル状態でＵＥにより受信可能であるため、参加ＵＥ２の全てがＲＲＣ連結モードにある必要がない。
【００２４】
図３を参照すれば、ＭＢＭＳ支援ＭＡＣ層の従来のアーキテクチャーが示されている。ＭＡＣ−ｃ／ｓｈエンティティは２つの論理チャネル、特にＭＣＣＨ（ＭＡＣ control channel）とＭＴＣＨ（ＭＢＭＳ traffic channel）を支援する。
【００２５】
一つのＭＣＣＨチャネルが各セルに存在し、一つのＭＴＣＨチャネルは特定のセル内の各特定のＭＢＭＳに対して存在する。全ての論理チャネルが、例えばＦＡＣＨ（forward access channel）などのトランスポートチャネルと、例えばＳＣＣＰＣＨ（secondary control physical channel）などの物理チャネルにマッピングされる。
【００２６】
従来の論理チャネルマッピングの例は図４Ａに示される。図４Ａは論理チャネルＭＴＣＨ、ＭＣＣＨのマッピング構造を示し、ここで論理チャネルは他の物理チャネル、例えば第１と第２物理チャネルＳＣＣＰＣＨ１、ＳＣＣＰＣＨ２に各々マッピングされる。
【００２７】
図４Ｂは、特定のＭＢＭＳ用ＭＢＭＳデータおよびそのサービスに関連した制御情報を伝送する従来例を示す。図４Ｂに示すように、論理チャネルＭＣＣＨはＭＢＭＳ制御プレーン情報を伝送するためのポイントツーマルチポイントのダウンリンクチャネルであり、論理チャネルＭＴＣＨはＭＢＭＳユーザプレーン情報を伝送するためのポイントツーマルチポイントのダウンリンクチャネルである。
【００２８】
論理チャネルＭＣＣＨ、ＭＴＣＨが各々固有の物理チャネルにマッピングされるので、ＭＢＭＳ−支援ＵＥ２はサービスを受信するために２つの物理チャネルを同時に受信しなければならない。例えば、ＭＴＣＨチャネルを介したＭＢＭＳデータと、ＭＣＣＨチャネルを介したＭＢＭＳ制御情報のようなユーザ情報と制御情報の同時伝送である。
【００２９】
しかしながら、ＵＥ２は２つの異なる物理チャネルの同時受信を支援できない。したがって、ＵＥ２はＭＢＭＳデータまたはＭＢＭＳ制御情報の何れか一つを受信することができない。
【００３０】
ＵＥ２が２つの異なる物理チャネルの同時受信を支援できると仮定しても、ＭＢＭＳの他にサービスの受信が要求されれば、ＵＥは３つ以上の物理チャネルを同時に受信する必要が実際にある。したがって、２つの論理チャネルＭＣＣＨ、ＭＴＣＨの同時受信に対する要求は、強化されたＵＥ２の動作を妨害する。
【００３１】
したがって、２つの異なる物理チャネルを同時に受信する能力を有しない移動体端末が、少なくとも２つの論理チャネルを用いて伝送されたサービスを受信できるようにするための方法および装置に対する必要がある。本発明はこれらやその他の必要性に向けられている。
【発明の開示】
【発明が解決しようとする課題】
【００３２】
本発明は、パケットデータおよび関連した制御情報をそれぞれ受信するための別々の物理チャネルを用いてサービスパケットデータと制御情報を移動体端末に／から送信し、受信する方法および装置に向けられている。特に、本発明は、２つの物理チャネルを同時に受信できない移動体端末が、２つの物理チャネルを用いたサービスを受信できるようにする方法および装置に向けられている。
【課題を解決するための手段】
【００３３】
本発明の付加的な特徴および利点は次の説明に開示され、部分的には次の説明から自明であったり、または、本発明の教示により学習することができる。本発明の目的および利点は開示された説明および特許請求範囲と添付された図面で特定された構造により実現され獲得される。
【００３４】
本発明のこれらの目的および他の利点を達成するために、また本発明の目的によれば、以下、開示されたように、本発明は移動体端末が２つの物理チャネルで伝送された情報を同時に処理する必要がないように、サービスデータと制御情報を提供する方法および装置として実施される。一実施態様において、データが伝送される物理チャネルに制御情報が伝送される他の物理チャネルで伝送できる時間の通知を含めて、サービスデータと制御情報を非同時性方式で別々の物理チャネルで伝送し、それにより、サービスデータと制御情報を受信するために２つの物理チャネルの間を移動体端末がスイッチングすることを容易にする。他の実施態様においては、サービスデータと制御情報は単一物理チャネルで伝送されて、サービスデータと制御情報を受信するために２つの物理チャネルの間を移動体端末がスイッチングする必要を排除する。
【００３５】
本発明の一態様において、移動体端末でサービスを受信する方法が提供される。本方法は、第１チャネルを介してデータと制御情報インジケータを受信するステップと、その制御情報インジケータによって第２チャネルを介して制御情報を受信するステップとを含む。
【００３６】
第１チャネルで受信されたデータは移動体端末に提供されるサービスと関連しており、第１チャネルで受信された制御情報インジケータは第２チャネル上での制御情報の伝送を表す。第２チャネルで受信された制御情報は移動体端末に提供されるサービスおよび／または移動体端末が受信しようとする他のサービスと関連している。第２チャネルで制御情報が伝送した表示を受信することにより、移動体端末は第１と第２チャネルを同時に受信する必要がなくなり、移動体端末は、ある期間に第１チャネルでデータを受信し、他の期間に第２チャネルで制御情報を受信することができる。
【００３７】
サービスはポイントツーマルチポイントサービス、例えばＭＢＭＳである。さらに、データがポイントツーマルチポイントデータであり制御情報がポイントツーマルチポイント制御情報である。さらに、データと制御情報は同時に受信されない。
【００３８】
移動体端末は第１チャネルで受信された制御情報インジケータを用いて、データが受信される第１チャネルから制御情報を受信するための第２チャネルへのスイッチング時を決定する。再びデータを受信するために第２チャネルから第１チャネルにスイッチングすることは第２チャネルでの制御情報の受信に基づいて実施される。一方、データが第１チャネルで伝送されることを表す表示は第２チャネルで受信される。移動体端末は制御情報の受信で直ちに第２チャネルからスイッチせず、データが第１チャネルで伝送されることを表す表示を受信してからスイッチする。
【００３９】
好ましくは、第１と第２チャネルは物理チャネルである。また、論理チャネルマッピングの様々な組合せがさらに可能である。
【００４０】
データと制御情報インジケータは同一の第１論理チャネルを起源とし、制御情報は第２論理チャネルを起源とする。受信の際、データと制御情報インジケータは同一の第１論理チャネルにマッピングされ、制御情報は第２論理チャネルにマッピングされる。例えば、データと制御情報インジケータはＭＴＣＨ論理チャネルにマッピングされ、制御情報はＭＣＣＨ論理チャネルにマッピングされる。
【００４１】
データ、制御情報インジケータ、制御情報は他の論理チャネルを起源とすることもできる。受信の際、データは第１論理チャネルにマッピングされ、制御情報インジケータは第２論理チャネルにマッピングされ、制御情報は第３論理チャネルにマッピングされる。例えば、データはＭＴＣＨ論理チャネルにマッピングされ、制御情報インジケータは副ＭＣＣＨ論理チャネルにマッピングされ、制御情報は主ＭＣＣＨ論理チャネルにマッピングされる。
【００４２】
本発明の他の態様では、移動体端末でサービスを受信する方法が提供される。本方法は第１チャネルを介してデータと制御情報インジケータを受信するステップと、制御情報インジケータに基づいて第２チャネルで制御情報を受信するか否かを判定するステップと、制御情報を受信するために第２チャネルにスイッチングしたりまたは第２チャネルにスイッチングしないステップとを含む。
【００４３】
制御情報インジケータが、移動体端末が制御情報を受信することを表すならば、第１チャネルから第２チャネルへのスイッチングが行われる。第１チャネルから第２チャネルへのスイッチングが、移動体端末がサービスに入会していれば行われることも意図される。
【００４４】
サービスはポイントツーマルチポイントサービス、例えば、ＭＢＭＳである。データはポイントツーマルチポイントデータであり、制御情報はポイントツーマルチポイント制御情報である。さらに、データと制御情報は同時に受信されない。
【００４５】
本発明の他の態様では移動体端末でサービスを受信する方法が提供される。本方法は第１ポイントツーマルチポイントチャネルで第１制御情報を受信するステップと、第２ポイントツーマルチポイントチャネルを設定するステップと、第２ポイントツーマルチポイントチャネルでデータおよび第２制御情報を受信するステップとを含む。
【００４６】
第１制御情報はサービスおよび／または移動体端末が受信しようとする他のサービスと関連する。データはサービスと関連する。第２制御情報はサービスおよび／または移動体端末が受信しようとする他のサービスと関連する。第１と第２ポイントツーマルチポイントチャネルはサービスと関連する。
【００４７】
好ましくは、第１制御情報が第２ポイントツーマルチポイントチャネルの情報と関連して、データと第２制御情報が第１制御情報に従って受信される。第２制御情報は移動体端末がサービスに入会いていることを表す。サービスはポイントツーマルチポイントサービス、例えばマルチメディアブロードキャスト／マルチキャストサービス（ＭＢＭＳ）である。
【００４８】
第１制御情報の受信は、主ＭＣＣＨ論理チャネルを設定するステップを含む。主ＭＣＣＨ論理チャネルを設定するために、ＢＣＨのようなブロードキャストチャネル、ＰＣＨのようなページングチャネル、または、ＰＩＣＨのようなページインジケータチャネルが受信される。副ＭＣＣＨチャネルは主ＭＣＣＨチャネルで受信された情報を基にして設定される。
【００４９】
好ましくは、第１ポイントツーマルチポイントチャネルおよび第２ポイントツーマルチポイントチャネルは物理チャネル、例えば主ＳＣＣＰＣＨチャネルおよび副ＳＣＣＰＣＨチャネルである。また、論理チャネルマッピングの様々な組合せも可能である。
【００５０】
データおよび第２制御情報は同一の論理チャネルを起源とする。受信の際、データおよび第２制御情報は同一の論理チャネルにマッピングされる。データおよび第２制御情報は他の論理チャネルを起源とする。受信の際、データは第１論理チャネルにマッピングされ、第２制御情報は第２論理チャネルにマッピングされる。例えば、データはＭＴＣＨ論理チャネルにマッピングされ、第２制御情報は２次ＭＣＣＨ論理チャネルにマッピングされる。
【００５１】
データは２つの異なる論理チャネルを起源とすることができる。受信の際、データは第１論理チャネルおよび第３論理チャネルにマッピングされる。例えば、データは主ＭＴＣＨ論理チャネルおよび副ＭＴＣＨ論理チャネルにマッピングされる。
【００５２】
本発明の他の態様では、移動体端末にサービスを提供する方法が提供される。本方法は第１チャネルを介してデータと制御情報インジケータを伝送するステップと、制御情報インジケータによって第２チャネルを介して制御情報を伝送するステップとを含む。
【００５３】
第１チャネルで伝送されたデータは移動体端末に提供されているサービスと関連し、第１チャネルで伝送される制御情報インジケータは第２チャネルでの制御情報の伝送を表す。第２チャネルで伝送された制御情報は移動体端末に提供されているサービスおよび／または移動体端末が受信しようとする他のサービスと関連する。制御情報が第２チャネルで伝送されることを表す表示を提供することにより、移動体端末は第１と第２チャネルを同時に受信する必要がなく、移動体端末がある期間で第１チャネルでデータを受信し、他の期間に第２チャネルで制御情報を受信することができる。
【００５４】
サービスはポイントツーマルチポイントサービス、例えばＭＢＭＳである。データはポイントツーマルチポイントデータであり、制御情報はポイントツーマルチポイント制御情報である。さらに、データと制御情報は同時に伝送されない。
【００５５】
移動体端末は第１チャネルで伝送された制御情報を用いて、データが伝送される第１チャネルから、制御情報を受信するための第２チャネルへのスイッチング時を決定する。データが第１チャネルで伝送されたことを表す表示は第２チャネルで伝送される。移動体端末は制御情報の受信ですぐに第２チャネルからスイッチせずに、データが第１チャネルで伝送されることを表す表示を受信したとき、スイッチする。
【００５６】
好ましくは、第１と第２チャネルは物理チャネルである。また、論理チャネルマッピングの様々な組合せが可能である。
【００５７】
データと制御情報インジケータは同一の第１論理チャネルを起源とし、制御情報は第２論理チャネルを起源とする。例えば、データと制御情報インジケータはＭＴＣＨ論理チャネルからマッピングされ、制御情報はＭＣＣＨ論理チャネルからマッピングされる。
【００５８】
データ、制御情報インジケータ、制御情報は他の論理チャネルを起源としてもよい。例えば、データはＭＴＣＨ論理チャネルからマッピングされ、制御情報インジケータは２次ＭＣＣＨ論理チャネルからマッピングされ、制御情報は１次ＭＣＣＨ論理チャネルからマッピングされる。
【００５９】
本発明の他の態様では、移動体端末でサービスを提供する方法が提供される。本方法は第１ポイントツーマルチポイントチャネルで第１制御情報を伝送するステップと、第２ポイントツーマルチポイントチャネルが移動体端末により設定されて、第２ポイントツーマルチポイントチャネルで第２制御情報を伝送するステップとを含む。
【００６０】
第１制御情報はサービスおよび／または移動体端末が受信しようとする他のサービスと関連する。データはサービスと関連する。第２制御情報はサービスおよび／または移動体端末が受信しようとする他のサービスと関連する。第１と第２ポイントツーマルチポイントチャネルはサービスと関連する。
【００６１】
好ましくは、第１制御情報は第２ポイントツーマルチポイントチャネル上の情報と関連する。第２制御情報が、移動体端末がサービスに入会していることを表す。サービスがポイントツーマルチポイントサービス、例えばＭＢＭＳである。
【００６２】
好ましくは、第１ポイントツーマルチポイントチャネルおよび第２ポイントツーマルチポイントチャネルは物理チャネル、例えば主ＳＣＣＰＣＨチャネルおよび副ＳＣＣＰＣＨチャネルである。論理チャネルマッピングの様々な組合せが可能である。
【００６３】
データおよび第２制御情報は同一の論理チャネルを起源とする。データと制御情報は他の論理チャネルを起源とする。例えば、データはＭＴＣＨ論理チャネルからマッピングされ、第２制御情報は２次ＭＣＣＨ論理チャネルからマッピングされる。
【００６４】
データは２つの異なる論理チャネルを起源とすることができる。例えば、データは主ＭＴＣＨチャネルおよび副ＭＴＣＨ論理チャネルからマッピングされる。
【００６５】
本発明の他の態様では、サービスを移動体端末に提供するためのネットワークが提供される。ネットワークは送信器、受信器、制御器を含む。
【００６６】
送信器は第１と第２チャネルを介してデータと制御情報を移動体端末に伝送する。受信器は移動体端末およびコアネットワークから情報を受信する。制御器は第１チャネルにデータと制御情報インジケータ（前記データはサービスと関連し、前記制御情報インジケータは第２チャネルで制御情報の伝送を表す）を提供し、第２チャネルに制御情報（前記制御情報はサービスおよび／または移動体端末が受信しようとする他のサービスと関連する）を提供するための本発明の方法を実施する。
【００６７】
本発明の他の態様では、サービスを移動体端末に提供するためのネットワークが提供される。ネットワークは送信器、受信器、制御器を含む。
【００６８】
送信器は第１ポイントツーマルチポイントチャネルおよび第２ポイントツーマルチポイントチャネルを介してデータと制御情報を移動体端末に伝送する。受信器は移動体端末およびコアネットワークから制御情報を受信する。制御器は、第１ポイントツーマルチポイントチャネルに第１制御情報（前記制御情報はサービスおよび／または移動体端末が受信しようとする他のサービスと関連する）を提供し、第２ポイントツーマルチポイントチャネルが設定されて、第２ポイントツーマルチポイントチャネルでデータおよび第２制御情報（前記データはサービスと関連し、第２制御情報はサービスおよび／または移動体端末が受信しようとする他のサービスと関連する）を提供するための本発明の方法を実施する。
【００６９】
本発明の他の態様では、ネットワークからサービスを受信するための移動体通信デバイスが提供される。移動体通信デバイスはＲＦモジュール、アンテナ、キーパッド、ディスプレイ、ストレージユニット、プロセッシングユニットを含む。
【００７０】
アンテナおよびＲＦモジュールは第１チャネルを介してデータと制御情報インジケータを受信し、第２チャネルを介して制御情報を受信する。キーパッドはユーザが情報を入力するためのものである。ディスプレイは情報をユーザに伝達する。ストレージユニットはデータと制御情報を格納する。プロセッシングユニットは本発明の方法を実施して、第１チャネルで受信されたデータと制御情報インジケータを処理する。ここでデータはサービスと関連し、制御情報インジケータはサービスおよび／または移動体端末が受信しようとする他のサービスと関連し、第２チャネルで制御情報を処理するために、制御情報はサービスおよび／または移動体端末が受信しようとする他のサービスと関連する。
【００７１】
本発明の他の態様では、ネットワークからサービスを受信するための移動体通信デバイスが提供される。移動体通信デバイスは、ＲＦモジュール、アンテナ、キーパッド、ディスプレイ、ストレージユニット、プロセッシングユニットを含む。
【００７２】
アンテナおよびＲＦモジュールは第１ポイントツーマルチポイントチャネルを介して第１制御情報インジケータを受信し、第２ポイントツーマルチポイントチャネルを介して第２制御情報を受信する。キーパッドはユーザが情報を入力するためのものである。ディスプレイは情報をユーザに伝達する。ストレージユニットは第１制御情報、データ、第２制御情報を格納する。プロセッシングユニットは本発明の方法を実施して、第１ポイントツーマルチポイントチャネル上で受信された第１制御情報を処理する。ここで第１制御情報はサービスおよび／または移動体端末が受信しようとする他のサービスと関連し、第２ポイントツーマルチポイントチャネルでデータおよび第２制御情報を受信および処理するために、データはサービスと関連し、第２制御情報はサービスおよび／または移動体端末が受信しようとする他のサービスと関連する。
【００７３】
本発明の前述した説明および次の詳細な説明は特許請求範囲に開示された本発明の追加の理解を提供し、例示的であることに留意しなければならない。
【００７４】
本発明は、移動体通信システムに適用可能である。
【発明を実施するための最良の形態】
【００７５】
本発明は、２つの物理チャネルを同時に受信できない移動体端末が２つの物理チャネルを利用したサービスを受信できるように、パケットデータとその関連制御情報を受信するための別々の物理チャネルを使用してパケットデータと制御情報を、移動体端末に伝送し、それから受信する方法および装置に関するものである。本発明が移動体端末に関して説明されるが、本発明は２つの物理チャネルを使用したサービスを、２つの物理チャネルを同時に受信できない移動体通信デバイスに提供することが望まれるとき常に利用することができる。
【００７６】
以下、参考までに、本発明の好ましい実施形態で詳細に開示され、例として図面に示される。図面で類似の構成要素は同一、または類似の図面符号を用いて表示される。
【００７７】
（第１実施形態）
図５Ａおよび５Ｂに示すように、本発明に係る第１実施形態は特定のサービスと関連した制御情報、例えばＭＢＭＳを送信し、受信する方法に関するものである。本方法はＭＴＣＨチャネルで移動体端末２、例えばＵＥに伝送されるＭＴＣＨ制御情報インジケータを利用する。マッピングは図４Ａに示された従来のマッピング構造を基にしている。ここで、論理チャネルＭＣＣＨとＭＴＣＨは固有の物理チャネル、例えばＳＣＣＰＣＨ１とＳＣＣＰＣＨ２に各々マッピングされる。
【００７８】
２つの物理チャネルを同時に受信できないＵＥ２が制御情報とデータの双方を受信できるように、制御情報インジケータがＭＴＣＨチャネルを介して伝送される。制御情報インジケータはＭＢＭＳ関連制御情報の伝送に対する情報を含み、参加（「入会」）ＵＥ２に、ＭＢＭＳ関連制御情報がＭＣＣＨチャネルを介して伝送されることを通知する。制御情報インジケータは伝送されるＭＢＭＳ関連制御情報の伝送時間とコンテンツに関する情報を含む。ＭＢＭＳ関連制御情報は特定のＭＢＭＳおよび／またはＵＥ２が入会している他のＭＢＭＳと関連される。
【００７９】
本発明の第１実施形態によれば、ＭＴＣＨチャネルは特定のＭＢＭＳデータと制御情報インジケータをＵＥ２に伝送するのに用いられ、ＭＣＣＨチャネルはＭＢＭＳ関連制御情報を伝送するのに用いられる。それぞれの伝送は非同時的である。
【００８０】
図６は本発明の第１実施形態に係るＭＢＭＳ関連データと制御情報を送信し、受信する方法５０を示す。方法５０は順次的なステップＳ５１−Ｓ６０を含む。ＵＥ２ Ｌ１／Ｌ２層とＵＴＲＡＮ６ Ｌ１／Ｌ２層は各々物理層、ＭＡＣ層、ＲＬＣ層、ＰＤＣＰ層を含む。
【００８１】
特定のＭＢＭＳデータはステップＳ５１で特定のＭＴＣＨチャネルを介してＵＴＲＡＮ６ Ｌ１／Ｌ２層からＵＥ２ Ｌ１／Ｌ２層に伝送され、特定のＭＴＣＨチャネルは参加ＵＥにより受信される。ステップＳ５２で、ＵＴＲＡＮ６ ＲＲＣ層はＭＣＣＨチャネルを介してＭＢＭＳ関連制御情報を伝送する前に制御情報インジケータを生成し、これをＵＴＲＡＮ Ｌ１／Ｌ２層に伝達する。ステップＳ５３で、ＵＴＲＡＮ６ Ｌ１／Ｌ２層は、ステップＳ５１でＭＢＭＳデータを伝送するのに使われたのと同じＭＴＣＨチャネルを介してＵＥ２ Ｌ１／Ｌ２層に制御情報インジケータを伝送する。 
【００８２】
ＵＥ２ Ｌ１／Ｌ２層は受信された制御情報インジケータを備え、これをステップＳ５４でＵＥ ＲＲＣ層に伝達する。制御情報インジケータに含まれた情報はＵＥ２がＭＢＭＳ関連制御情報を受信しなければならないか否かを判定するのに使われる。
【００８３】
ＵＥ２がＭＢＭＳ関連制御情報を受信すると判定されれば、ＵＥ ＲＲＣ層からの第１チャネルスイッチング指示がＵＥ Ｌ１／Ｌ２層に指示して、ステップＳ５５で受信チャネルをＭＣＣＨチャネルにスイッチングする。ＵＥ２がＭＢＭＳ関連制御情報を受信しないと判定されれば、どんな指示も出ず、ＵＥ２ Ｌ１／Ｌ２層はＭＴＣＨチャネルの受信を続ける。
【００８４】
チャネルスイッチング指示が出たら、ＵＥ２ Ｌ１／Ｌ２層は、ステップＳ５６で、一つの物理チャネルから他の物理チャネルに、例えばＭＴＣＨチャネルがマッピングされている物理チャネルからＭＣＣＨチャネルがマッピングされている物理チャネルに受信物理チャネルをスイッチングする。スイッチングすると、ＵＥ２ ＲＲＣ層はステップＳ５７で、ＭＣＣＨチャネルを介してＵＴＲＡＮ６ ＲＲＣ層から伝送されたＭＢＭＳ関連制御情報を受信することができる。
【００８５】
ＭＢＭＳ関連制御情報の受信が完了すると、ＵＥ２ ＲＲＣ層からの第２チャネルスイッチング指示は、ステップＳ５８で、ＵＥ Ｌ１／Ｌ２層に指示して、ＭＴＣＨチャネルがマッピングされている物理チャネルに受信物理チャネルを戻すようにスイッチングさせる。ＵＥ２ Ｌ１／Ｌ２層は、ステップＳ５９で、受信物理チャネルを元の物理チャネルに戻す、例えばＭＣＣＨチャネルがマッピングされている物理チャネルからＭＴＣＨチャネルがマッピングされている物理チャネルにスイッチングするためのチャネルスイッチング動作を実施する。チャネルスイッチング動作後、ＵＥ２Ｌ１／Ｌ２層はステップＳ６０でＭＴＣＨチャネルを介してＵＴＲＡＮ６ Ｌ１／Ｌ２層により伝送されたＭＢＭＳ関連データを受信する。
【００８６】
（第２実施形態）
図７Ａおよび７Ｂに示すように、本発明に係る第２実施形態は特定のサービスと関連した制御情報、例えばＭＢＭＳを送信し、受信する方法に関するものである。この方法はＭＴＣＨチャネルで伝送された制御情報インジケータと、ＭＣＣＨチャネルで伝送されたデータ受信インジケータを利用する。マッピングは図４Ａに図示された従来のマッピング構造を基にしている。ここで、論理チャネルＭＣＣＨとＭＴＣＨは固有の物理チャネル、例えばＳＣＣＰＣＨ１とＳＣＣＰＣＨ２に各々マッピングされる。  
【００８７】
制御情報インジケータが、２つの物理チャネルを同時に受信できないＵＥ２が制御情報とデータを全て受信できるように、ＭＴＣＨチャネルを介して伝送される。制御情報インジケータはＭＢＭＳ関連制御情報の伝送に関する情報を含み、参加（「入会」）ＵＥ２にＭＢＭＳ関連制御情報がＭＣＣＨチャネルを介して伝送されるということを通知する。制御情報インジケータは伝送されるＭＢＭＳ関連制御情報の伝送時間およびコンテンツに関する情報を含む。ＭＢＭＳ関連制御情報は特定のＭＢＭＳおよび／またはＵＥ２が入会している他のＭＢＭＳと関連する。
【００８８】
本発明の第２実施形態によれば、ＭＴＣＨチャネルは特定のＭＢＭＳデータと制御情報インジケータをＵＥ２に伝送するのに利用され、ＭＣＣＨチャネルはＭＢＭＳ関連制御情報を伝送するのに用いられる。データ受信インジケータは、受信されたＭＢＭＳ関連制御情報を有するＵＥ２にＭＢＭＳデータを受信することを指示し、かつ、ＭＴＣＨチャネルを介して伝送されるＭＢＭＳデータの伝送時間情報とコンテンツを含む。第１実施形態と対照的に、受信チャネルは、ＭＢＭＳ関連制御情報の受信の後に、ＭＴＣＨチャネルに同時にスイッチングされ、第２実施形態はデータ受信インジケータの特定の指示受信の際、ＭＴＣＨチャネルにスイッチングすることを目的とする。
【００８９】
図８は、本発明の第２実施形態に係るＭＢＭＳ関連データと制御情報を送信し、受信する方法１００を示す。方法１００は順次的なステップＳ１０１−Ｓ１１１を含む。ＵＥ２ Ｌ１／Ｌ２層とＵＴＲＡＮ６ Ｌ１／Ｌ２層は各々物理層、ＭＡＣ層、ＲＬＣ層、ＰＤＣＰ層を含む。
【００９０】
特定のＭＢＭＳデータはステップＳ１０１で特定のＭＴＣＨチャネルを介してＵＴＲＡＮ６ Ｌ１／Ｌ２層からＵＥ２ Ｌ１／Ｌ２層に伝送され、特定のＭＴＣＨチャネルは参加ＵＥにより受信される。ステップＳ１０２で、ＵＴＲＡＮ６ ＲＲＣ層はＭＣＣＨチャネルを介してＭＢＭＳ関連制御情報を伝送する前に制御情報インジケータを生成し、これをＵＴＲＡＮ Ｌ１／Ｌ２層に伝達する。ステップＳ１０３で、ＵＴＲＡＮ６ Ｌ１／Ｌ２層はステップＳ１０１で、ＭＢＭＳデータを伝送するのに使われたのと同じＭＴＣＨチャネルを介してＵＥ２ Ｌ１／Ｌ２層に制御情報インジケータを伝送する。 
【００９１】
ＵＥ２ Ｌ１／Ｌ２層は受信された制御情報インジケータを備え、これをステップＳ１０４で、ＵＥ ＲＲＣ層に伝達する。制御情報インジケータに含まれた情報はＵＥ２がＭＢＭＳ関連制御情報を受信しなければならないか否かを判定するのに使われる。
【００９２】
ＵＥ２がＭＢＭＳ関連制御情報を受信すると判定されれば、ＵＥ ＲＲＣ層からの第１チャネルスイッチング指示はＵＥ Ｌ１／Ｌ２層に指示してステップＳ１０５で受信チャネルをＭＣＣＨチャネルにスイッチングする。ＵＥ２がＭＢＭＳ関連制御情報を受信しないと判定されれば、どんな指示も出ず、ＵＥ２ Ｌ１／Ｌ２層はＭＴＣＨチャネルの受信を続ける。
【００９３】
チャネルスイッチング指示が発行されれば、ＵＥ２ Ｌ１／Ｌ２層はステップＳ１０６で受信物理チャネルを、一つの物理チャネルから他の物理チャネルに、例えばＭＴＣＨチャネルがマッピングされる物理チャネルからＭＣＣＨチャネルがマッピングされる物理チャネルにスイッチングする。スイッチングすると、ＵＥ２ ＲＲＣ層はステップＳ１０７で、ＭＣＣＨチャネルを介してＵＴＲＡＮ６ ＲＲＣ層から伝送されたＭＢＭＳ関連制御情報を受信することができる。
【００９４】
ＭＢＭＳ関連制御情報の受信が完了すると、ステップＳ１０８で、ＵＴＲＡＮ ６ ＲＲＣ層がデータ受信インジケータをＵＥ２に伝送する。それによって、ＵＥ２ ＲＲＣ層はＭＢＭＳデータを受信するように指示する。応答して、ＵＥ２ ＲＲＣ層からの第２チャネルスイッチング指示が、ステップＳ１０９でＵＥ２ Ｌ１／Ｌ２層に指示して、ＭＴＣＨチャネルがマッピングされている物理チャネルに受信物理チャネルを再びスイッチングさせる。ＵＥ２ Ｌ１／Ｌ２層は、ステップ Ｓ１１０で、受信物理チャネルを元の物理チャネルに、例えばＭＣＣＨチャネルがマッピングされている物理チャネルからＭＴＣＨチャネルがマッピングされている物理チャネルに戻すスイッチを行うためのチャネルスイッチング動作を実施する。チャネルスイッチング動作後、ＵＥ２ Ｌ１／Ｌ２層は、ステップＳ１１１で、ＭＴＣＨチャネルを介してＵＴＲＡＮ６ Ｌ１／Ｌ２層により伝送されたＭＢＭＳデータを受信する。
【００９５】
（第３実施形態）
図９Ａおよび９Ｂに示すように、本発明に係る第３実施形態は特定のサービスと関連した制御情報、例えばＭＢＭＳを送信し、受信する方法に関するものである。この方法はＭＴＣＨチャネルで伝送された制御情報と共にＭＢＭＳデータを利用する。マッピングは図４Ａに図示された従来のマッピング構造を基にし、ここで、論理チャネルＭＣＣＨとＭＴＣＨは固有の物理チャネル、例えばＳＣＣＰＣＨ１とＳＣＣＰＣＨ２に各々マッピングされる。  
【００９６】
ＭＴＣＨチャネルは特定のＭＢＭＳデータとＭＢＭＳ関連制御情報をＵＥ２に伝送するのに用いられる。第１と第２実施形態とは対照的に、ＭＢＭＳ関連制御情報はＭＣＣＨチャネルを介して送信し、受信される。第３実施形態はＭＢＭＳデータを搬送する同じＭＴＣＨチャネルを介してＭＢＭＳ関連制御情報を送信し、受信するようにする。
【００９７】
図１０は本発明の第３実施形態に係るＭＢＭＳ関連データと制御情報を送信し、受信する方法２００を示す。方法２００は順次的なステップＳ２０１−Ｓ２０５を含む。ＵＥ２ Ｌ１／Ｌ２層およびＵＴＲＡＮ６ Ｌ１／Ｌ２層は各々物理層、ＭＡＣ層、ＲＬＣ層、ＰＤＣＰ層を含む。
【００９８】
特定のＭＢＭＳデータが、ステップＳ２０１で、特定のＭＴＣＨチャネルを介してＵＴＲＡＮ６ Ｌ１／Ｌ２層からＵＥ２ Ｌ１／Ｌ２層に伝送され、特定のＭＴＣＨチャネルは参加ＵＥにより受信される。ＭＢＭＳデータ伝送中にＭＢＭＳ関連制御情報がＵＥ２に伝送される必要があるならば、ステップＳ２０２で、ＵＴＲＡＮ６ ＲＲＣ層は制御情報をＵＴＲＡＮ６ Ｌ１／Ｌ２層に伝達する。ＵＴＲＡＮ６ Ｌ１／Ｌ２層は次にステップＳ２０３で、同じＭＴＣＨチャネルを介してＵＥ２ Ｌ１／Ｌ２層に制御情報を伝送する。 
【００９９】
ＭＢＭＳ関連制御情報が、ユーザプレーンの制御ＰＤＵ（protocol data unit）を用いてＵＴＲＡＮ６ Ｌ１／Ｌ２層からＵＥ２ Ｌ１／Ｌ２層に伝送される。ＵＴＲＡＮ６ Ｌ１／Ｌ２層はＭＢＭＳ関連制御情報を含むように制御ＰＤＵを構成する。制御ＰＤＵはユーザプレーンプロトコルを用いてＵＥ２ Ｌ１／Ｌ２層に伝達され、ここで制御ＰＤＵは含まれた制御情報を獲得するために逆アセンブルされる。
【０１００】
制御ＰＤＵを構成または逆アセンブルするユーザプレーンはＰＤＣＰまたはＭＡＣ層であるが、ＰＤＣＰ層より上位のＬ２サブ層でもよい。ステップＳ２０４で、ＵＥ２ Ｌ１／Ｌ２層は受信されたＭＢＭＳ関連制御情報をＵＥ ＲＲＣ層に伝達する。制御情報の伝送が成功すると、ＵＴＲＡＮ６ Ｌ１／Ｌ２層はステップＳ２０５で、ＵＥ２ Ｌ１／Ｌ２層による受信のためにＭＴＣＨチャネルを介してＭＢＭＳデータを伝送する。
【０１０１】
（第４実施形態）
図１１Ａおよび１１Ｂに示すように、本発明に従う第４実施形態は特定のサービスと関連した制御情報、例えばＭＢＭＳを送信し、受信する方法に関するものである。この方法はＭＣＣＨチャネルを介して伝送された制御情報インジケータを利用し、ＭＣＣＨチャネルはＭＴＣＨチャネルと共に同一物理チャネルにマッピングされる。
【０１０２】
特に、図１１Ａは主ＭＣＣＨチャネルが主ＳＣＣＰＣＨチャネルにマッピングされ、ＭＴＣＨチャネルも主ＳＣＣＰＣＨチャネルにマッピングされることを示し、図１１Ｂは主ＭＣＣＨチャネルを介して伝送されたＭＢＭＳ関連制御情報、ＭＣＣＨ１チャネルを介して伝送された制御情報インジケータ、ＭＴＣＨチャネルを介して伝送されたＭＢＭＳデータを示している。制御情報インジケータはＵＥ２に制御情報が主ＭＣＣＨチャネルを介して伝送されるということを通知する。
【０１０３】
図１１Ａを参照すれば、少なくとも一つのＭＴＣＨとＭＣＣＨチャネルは物理チャネルにマッピングされ、一つの特定のＭＣＣＨチャネルは対応するセルに対する主ＭＣＣＨチャネルとして設定される。特定のＭＢＭＳに対するＭＢＭＳ関連制御情報は主ＭＣＣＨチャネルを介して伝送され、特定のＭＢＭＳに対するＭＢＭＳデータが伝送される主ＭＣＣＨチャネルおよびＭＴＣＨチャネルは固有の物理チャネルにマッピングされる。例えば、主ＭＣＣＨチャネルは主物理チャネル、例えばＳＣＣＰＣＨにマッピングされ、ＭＢＭＳデータが伝送されるＭＴＣＨチャネルは第２物理チャネル、例えばＳＣＣＰＣＨ１にマッピングされる。
【０１０４】
ＵＥ２にＭＢＭＳ関連制御情報の伝送を通知するための制御情報インジケータは、ＭＢＭＳデータを伝送するＭＴＣＨチャネルがマッピングされるのと同じ物理チャネルにマッピングされたＭＣＣＨチャネルを介して伝送される。例えば、特定のＭＢＭＳに対する制御情報インジケータはＭＣＣＨ１で伝送され、特定のＭＢＭＳに対するＭＢＭＳデータはＭＴＣＨ１で伝送され、ＭＣＣＨ１とＭＴＣＨ１は双方ともＳＣＣＰＣＨ１にマッピングされる。主ＭＣＣＨチャネルがマッピングされる物理チャネルＳＣＣＰＣＨから固有の同一の物理チャネルに、ＭＣＣＨ１とＭＴＣＨ１をマッピングすることにより、制御情報インジケータは主ＭＣＣＨチャネルを介するＭＢＭＳ関連制御情報の伝送に先立って成功裏に伝送される。
【０１０５】
特定のセル内の主ＭＣＣＨチャネルとは異なる全てのＭＣＣＨチャネルは、一つのＭＣＣＨチャネルが、それぞれの特定のＭＢＭＳサービスごとに、およびそれぞれのＭＴＣＨチャネルごとに存在し、または、少なくとも一つのチャネルがマッピングされるそれぞれの物理チャネルごとに存在するように設定される。ＭＴＣＨチャネルは主ＭＣＣＨチャネルがマッピングされる物理チャネルにマッピングされる。
【０１０６】
図１２は、本発明の第４実施形態に係るＭＢＭＳ関連データと制御情報を送信し、受信する方法３００を図示する。方法３００は順次的なステップＳ３０１−Ｓ３０８を含む。ＵＥ２ Ｌ１／Ｌ２層およびＵＴＲＡＮ６ Ｌ１／Ｌ２層は各々物理層、ＭＡＣ層、ＲＬＣ層、ＰＤＣＰ層を含む。
【０１０７】
特定のＭＢＭＳデータは、ステップＳ３０１で、ＵＴＲＡＮ６ Ｌ１／Ｌ２層からＵＥ２ Ｌ１／Ｌ２層に伝送される。ＭＢＭＳデータはＭＴＣＨチャネル、例えばＭＴＣＨ１を介して伝送され、特定のＭＴＣＨチャネルは参加ＵＥにより受信される。  
【０１０８】
ステップＳ３０２で、ＵＴＲＡＮ６ ＲＲＣ層は、主ＭＣＣＨチャネルを介してＭＢＭＳ関連制御情報を伝送する前に制御情報インジケータを生成し、これをＭＣＣＨチャネルを介してＵＥ２ Ｌ１／Ｌ２層に伝送する。特に、制御情報インジケータは、ＭＴＣＨ１チャネルが設定された物理チャネル、例えばＳＣＣＰＣＨ１にマッピングされるＭＣＣＨ１チャネルで伝送される。制御情報インジケータ内の情報はＵＥ２がＭＢＭＳ関連制御情報を受信しなければならないか否かを判定するのに使われる。
【０１０９】
ＵＥ２がＭＢＭＳ関連制御情報を受信すると判定されれば、ＵＥ ＲＲＣ層からの第１チャネルスイッチング指示が、ＵＥ Ｌ１／Ｌ２層に指示してステップＳ３０３で受信チャネルを、主ＭＣＣＨチャネルがマッピングされる物理チャネル、例えばＳＣＣＰＣＨにスイッチングする。ＵＥ２がＭＢＭＳ関連制御情報を受信しないと判定されれば、どんな指示も出ず、ＵＥ２ Ｌ１／Ｌ２層は物理チャネルＳＣＣＰＣＨ１にマッピングされたＭＴＣＨチャネルの受信を続ける。
【０１１０】
チャネルスイッチング指示が発行されると、ＵＥ Ｌ１／Ｌ２層は受信物理チャネルをステップＳ３０４で物理チャネル、例えば主ＭＣＣＨチャネルがマッピングされる主ＳＣＣＰＣＨにスイッチングする。スイッチングされると、ＵＥ２ ＲＲＣ層はステップＳ３０５でＭＣＣＨチャネルを介してＵＴＲＡＮ６ ＲＲＣ層から伝送されたＭＢＭＳ関連制御情報を受信することができる。
【０１１１】
ＭＢＭＳ関連制御情報の伝送が完了すると、ステップＳ３０６で、ＵＥ２ ＲＲＣ層からの第２チャネルスイッチング指示によって、ＵＥ Ｌ１／Ｌ２層は受信物理チャネルをＳＣＣＰＣＨ１チャネルに再びスイッチングするように指示する。ＵＥ２ Ｌ１／Ｌ２層は、ステップＳ３０７で、受信物理チャネルを元の物理チャネルに戻す、例えば主ＭＣＣＨチャネルがマッピングされる主ＳＣＣＰＣＨ物理チャネルからＭＴＣＨ１チャネルがマッピングされる１次ＳＣＣＰＣＨ物理チャネルにスイッチングするためのチャネルスイッチング動作を実施する。チャネルスイッチング動作後、ＵＥ２ Ｌ１／Ｌ２層は、ステップＳ３０８で、ＭＴＣＨ１チャネルを介してＵＴＲＡＮ６ Ｌ１／Ｌ２層により伝送されたＭＢＭＳデータを受信する。
【０１１２】
（第５実施形態）
図１３Ａおよび１３Ｂに示すように、本発明に係る第５実施形態は、特定のサービスと関連した制御情報、例えばＭＢＭＳを送信し、受信する方法に関するものである。この方法はＭＣＣＨチャネルを介して伝送された制御情報インジケータを利用し、ＭＣＣＨチャネルはＭＴＣＨチャネルと共に同じ物理チャネルにマッピングされる。
【０１１３】
第４実施形態のように、第５実施形態でも、少なくとも一つのＭＴＣＨとＭＣＣＨチャネルは物理チャネルにマッピングされ、一つの特定のＭＣＣＨチャネルは対応するセルに対する主ＭＣＣＨチャネルとして設定される。第４実施形態とは異なり、ＭＢＭＳデータは、ＭＢＭＳ関連制御情報を伝送するＭＣＣＨチャネルがマッピングされるのと同じ物理チャネルにマッピングされるＭＴＣＨチャネルを介して伝送される。 
【０１１４】
ＭＢＭＳデータを伝送するためのＭＴＣＨチャネルを設定すると、ＭＢＭＳ関連制御情報は、ＭＢＭＳデータを伝送するＭＴＣＨチャネルがマッピングされる物理チャネルと同じ物理チャネルにマッピングされるＭＣＣＨチャネルを介して伝送される。ＭＣＣＨチャネルはＭＴＣＨチャネルが設定された全ての物理チャネルに対して設定される。
【０１１５】
ＭＢＭＳ関連制御情報を伝送するためのＭＣＣＨチャネルは、一つのＭＣＣＨチャネルがそれぞれの特定のＭＢＭＳとそれぞれのＭＴＣＨチャネルごとに、または、少なくとも一つのＭＴＣＨチャネルマッピングされる各物理チャネルごとに存在するように設定される。特定のＭＢＭＳのためのＭＢＭＳ関連制御情報はＭＣＣＨチャネル、例えばＭＣＣＨ１を介して伝送され、特定のＭＢＭＳのためのＭＢＭＳデータはＭＴＣＨチャネル、例えばＭＴＣＨ１を介して伝送される。ＭＣＣＨ１はＭＴＣＨ１と共に同一物理チャネル、例えばＳＣＣＰＣＨ１にマッピングされる。
【０１１６】
図１４は、本発明の第５実施形態に係るＭＢＭＳ関連データと制御情報を送信し、受信する方法４００を示す。方法４００は順次的なステップＳ４０１−Ｓ４０３を含む。ＵＥ２ Ｌ１／Ｌ２層およびＵＴＲＡＮ６ Ｌ１／Ｌ２層は各々物理層、ＭＡＣ層、ＲＬＣ層、ＰＤＣＰ層を含む。
【０１１７】
特定のＭＢＭＳデータはステップＳ４０１で特定のチャネルを介してＵＴＲＡＮ６ Ｌ１／Ｌ２層からＵＥ２ Ｌ１／Ｌ２層に伝送され、特定のＭＴＣＨチャネルは参加ＵＥにより受信される。ＭＢＭＳデータ伝送の間、ＭＢＭＳ関連制御情報がＵＥ２に伝送される必要があると、ＵＴＲＡＮ６ ＲＲＣ層は、ステップＳ４０２で、ＭＴＣＨチャネルと共に物理チャネルにマッピングされるＭＣＣＨチャネルを介してＵＥ ＲＲＣ層にＭＢＭＳ関連制御情報を伝送する。したがって、ＵＥ２はＭＢＭＳ関連制御情報を受信するためのチャネルスイッチングを行う必要がない。制御情報伝送が完了すると、ＵＴＲＡＮ６ Ｌ１／Ｌ２層はステップＳ４０３でＭＴＣＨチャネルを介してＭＢＭＳデータをＵＥ２ Ｌ１／Ｌ２層に伝送する。
【０１１８】
参加ＵＥ２が、主ＭＣＣＨチャネルを介してＭＢＭＳサービスを受信するのに用いられるＭＴＣＨとＭＣＣＨチャネルを設定するための情報を最初に受信し、その後、設定されたＭＴＣＨとＭＣＣＨチャネルを介してＭＢＭＳ関連制御情報とＭＢＭＳデータを受信することが好ましい。特に、ＭＴＣＨとＭＣＣＨチャネルが、ＵＥ２により同時に受信された物理チャネルの数を減少させるために、同じ物理チャネルにマッピングされることがより望ましい。ＭＴＣＨチャネルは主ＭＣＣＨチャネルがマッピングされる物理チャネルにマッピングされる。
【０１１９】
図１５Ａに示すように、主次ＭＣＣＨチャネルがマッピングされる物理チャネル、例えば主ＳＣＣＰＣＨにＭＴＣＨチャネルがマッピングされるとき、ＭＴＣＨチャネルを受信するＵＥおよび特にＭＴＣＨ０チャネルは主ＭＣＣＨチャネルを介してＭＢＭＳ関連制御情報を受信する。主ＭＣＣＨチャネル以外の全てのＭＣＣＨチャネルはこれらがマッピングされるＭＴＣＨチャネルに対してＭＢＭＳ関連制御情報を伝送する。
【０１２０】
図１５Ｂおよび１５Ｃは、図１５ＡのＳＣＣＰＣＨチャネルにマッピングされたＭＣＣＨチャネルを介して特定のＭＢＭＳ関連制御情報を伝送するための方法５００、６００を示す。図１５ＢはＭＢＭＳ０に対する制御情報とデータの伝送を示し、図１５ＣはＭＢＭＳ１に対する制御情報とデータの伝送を示する。
【０１２１】
図１５Ｂに示すように、ＵＴＲＡＮ６はＭＢＭＳ０データを伝送するためのＭＴＣＨ０チャネルの設定前に、主ＭＣＣＨチャネルを介してＭＢＭＳ関連制御情報の伝送を可能にする。ＭＴＣＨ０チャネルを設定すると、ＵＥ２はＭＴＣＨ０を通じてＭＢＭＳ０データを受信し、ＭＴＣＨ０チャネルと同じ物理チャネル上で設定された主ＭＣＣＨチャネルを介して関連制御情報を受信する。
【０１２２】
図１５Ｃに示すように、ＵＴＲＡＮ６は、ＭＢＭＳ１データを伝送するためのＭＴＣＨ１チャネルの設定前に、主ＭＣＣＨチャネルを介してＭＢＭＳ関連制御情報の伝送を可能にする。ＵＥ２は主ＭＣＣＨチャネルを介してＭＣＣＨ１チャネルを設定するのに必要な情報を獲得し、ＭＣＣＨ１または主ＭＣＣＨチャネルを介してＭＴＣＨ１チャネルを設定するのに必要な情報を獲得することができる。ＭＣＣＨ１とＭＴＣＨ１チャネルを設定すると、ＵＥ２はＭＴＣＨ１チャネルを介してＭＢＭＳ１データを受信し、ＭＴＣＨ１チャネルと同じ物理チャネル上で設定されたＭＣＣＨ１チャネルを介してＭＢＭＳ１関連制御情報を受信する。
【０１２３】
図１６Ａおよび１６Ｂは、本発明の第５実施形態に係るＵＥ２上でＭＣＣＨチャネルを設定するための方法７００、８００を図示する。図１６Ａに示すように、ＵＥ２はＢＣＨのようなブロードキャスト制御チャネル、ＰＣＨのようなページングチャネルまたはＰＩＣＨのようなページインジケータチャネルを介して主ＭＣＣＨチャネルを設定するのに必要な情報を獲得し、その後、主ＭＣＣＨチャネルを設定する。参加ＵＥ２は、ＭＣＣＨチャネルがＭＴＣＨチャネルと共に同じ物理チャネルにマッピングされるので、主ＭＣＣＨチャネルを介してパケットデータサービス、例えばＭＢＭＳを受信するためにＭＴＣＨチャネルを設定するのに必要な情報を獲得する。
【０１２４】
ＵＥ２は同一物理チャネルにマッピングされた論理チャネルのチャネル情報を用いてＭＴＣＨとＭＣＣＨ論理チャネルを設定する。ＵＥ２はＭＴＣＨチャネルを介してパケットデータサービスのデータを受信し、ＭＣＣＨチャネルを介してサービス関連制御情報を受信する。
【０１２５】
図１６Ｂに示すように、ＵＥ２はＢＣＨ、ＰＣＨまたはＰＩＣＨチャネルを介して主ＭＣＣＨチャネル情報を獲得することにより主ＭＣＣＨチャネルを設定する。ＭＣＣＨチャネルを設定するために、参加ＵＥ２は主ＭＣＣＨチャネルを介してパケットデータサービス、例えばＭＢＭＳのＭＣＣＨチャネル情報を獲得する。ＵＥ２は、その後、設定されたＭＣＣＨチャネルを介してパケットデータサービスのデータを受信する。ＵＥ２は、その後、ＭＴＣＨチャネルを介して対応するサービスのデータを受信する。
【０１２６】
図１７を参照すれば、本発明の移動体通信デバイス８００のブロック図であって、例えば本発明の方法を実施するための携帯電話を図示する。移動体通信デバイス８００はマイクロプロセッサまたはデジタル信号処理器のようなプロセッシングユニット８１０、ＲＦモジュール８３５、電力管理モジュール８０５、アンテナ８４０、バッテリー８５５、ディスプレイ８１５、キーパッド８２０、フレッシュメモリ、ＲＯＭ、または、ＳＲＡＭのようなストレージユニット８３０、スピーカー８４５およびマイクロホン８５０を含む。
【０１２７】
ユーザは、例えばマイクロホン８５０を用いて音声活性化またはキーパッド８２０のボタンを押すことにより電話番号のような指示情報を入力する。プロセッシングユニット８１０は電話番号ダイヤルリングのような適切な機能を実施するための指示情報を受信して処理する。動作データは機能を実施するためにストレージユニット８３０から検索される。さらに、プロセッシングユニット８１０はユーザの選好および便宜のためにディスプレイ８１５上に指示情報と動作情報をディスプレイする。
【０１２８】
プロセッシングユニット８１０は、例えば音声通信データを含む無線信号を伝送することにより、通信を開始するために、指示情報をＲＦ部８３５に発行する。ＲＦモジュール８３５は無線信号を伝送し受信するための送信器および受信器を含む。アンテナ８４０は無線信号の伝送と受信を容易にする。無線信号を受信すると、ＲＦモジュール８３５はプロセッシングユニット８１０で処理するために、この信号をフォワードし、ベースバンド周波数へ変換する。処理された信号は、例えばスピーカ８４５を通じて可聴可能なまたは読取可能な情報出力に変換される。
【０１２９】
移動体通信デバイス８００の一実施形態において、ＲＦモジュール８３５は第１チャネルを介してデータと制御情報インジケータを受信し、第２チャネルを介して制御情報を受信するようにされ、ストレージユニット８３０はデータと制御情報を格納するようにされ、プロセッシングユニット８１０は第２チャネル上でサービス関連制御情報を受信するために第１チャネル上で受信された制御情報インジケータおよびサービス関連データを処理するようにされている。
【０１３０】
移動体通信デバイス８００の他の実施形態において、ＲＦモジュール８３５はサービスと関連した第１ポイントツーマルチポイントチャネル上で第１制御情報を受信し、サービスと関連した第２ポイントツーマルチポイントチャネル上でデータおよび第２制御情報を受信するようにされ、ストレージユニット８３０は第１制御情報、データおよび第２制御情報を格納するようにされ、プロセッシングユニット８１０は第１制御情報を処理するようにされ、データと制御情報を受信し、処理するために第２ポイントツーマルチポイントチャネルを設定するようにされている。
【０１３１】
当業者には移動体通信デバイス８００が例えばプロセッシングユニット８１０、または他のデータまたはデジタルプロセッシングデバイスを単独または外部支援ロジックと組み合せて用いることで容易に具現できることが自明である。
【０１３２】
図１８は、本発明の一実施形態に係るＵＴＲＡＮ９２０のブロック図を示す。ＵＴＲＡＮ９２０は一つ以上のＲＮＳ（radio network subsystem）９２５を含む。それぞれのＲＮＳ９２５はＲＮＣ（radio network controller）９２３とこれにより管理される複数のノードＢ９２１すなわち基地局を含む。ＲＮＣ９２３は無線リソースの割当および管理を操作し、コアネットワーク４に関するアクセスポイントとして動作する。さらに、ＲＮＣ９２３は本発明の方法を実施するように構成される。
【０１３３】
ノードＢ９２１はアップリンクを介して移動体端末８００の物理層により伝送された情報を受信し、データをダウンリンクを介して移動体端末に伝送する。ノードＢ９２１は端末８００用ＵＴＲＡＮ９２０のアクセスポイントとして、または送信器または受信器として動作する。
【０１３４】
ＵＴＲＡＮ９２０の一実施形態において、ノードＢ９２１はデータと制御情報を第１チャネルを介して移動体端末８００に伝送し、制御情報を第２チャネルを介して移動体端末に伝送するようにされ、ＲＮＣ９２３は第２チャネル上で制御情報の伝送を表す制御情報インジケータおよびサービス関連データを第１チャネルに提供し、サービスおよび／または他のサービスと関連した制御情報を第２チャネルに提供するようにされている。ＵＴＲＡＮ９２０の他の実施形態において、ノードＢ９２１は第１制御情報を第１ポイントツーマルチポイントチャネルを介して移動体端末８００に伝送し、第２制御情報を第２ポイントツーマルチポイントチャネルを介して移動体端末８００に伝送するようにされ、ＲＮＣ９２３は第１制御情報を第１ポイントツーマルチポイントチャネル上に提供し、第２ポイントツーマルチポイントチャネルが移動体端末により設定された後、データと制御情報を第２ポイントツーマルチポイントチャネルに提供するようにされている。
【０１３５】
前述のように、第１論理チャネル、例えばＭＣＣＨ、を介してサービス関連制御情報を伝送する際、移動体端末は、サービス関連制御情報が第２物理チャネルで伝送されるか、または、そのサービス関連制御情報が、サービス関連データを搬送する第２論理チャネルがマッピングされる同じ物理チャネルを介して移動体端末に伝送される、ということの通知を、ＭＴＣＨのようなサービス関連データを運搬する第２論理チャネルがマッピングされる第１物理チャネルを介して受ける。移動体端末はＭＢＭＳデータとＭＢＭＳ制御情報を受信するために２つの物理チャネルを同時に受信する必要がない。
【０１３６】
ＭＢＭＳサービスを提供するＵＭＴＳシステムにおいて、特定のＭＢＭＳ関連データを伝送する物理チャネルは、また、必要な特定のＭＢＭＳ関連制御情報を伝送する。したがって、ＵＥが同時に受信するのに要求される物理チャネルの数を最小化する。物理チャネル数を最小化すると、特定のＭＢＭＳのほかに付加サービスを受信するために、多数の物理チャネルを同時に受信することができる強化された能力、すなわち高い費用のＵＥの必要性を減少させることができる。
【０１３７】
本発明が移動体通信の観点で記述されているが、本発明は無線通信能力を備えたラップトップコンピュータやＰＤＡのような移動体デバイスを用いる任意の無線通信システムでも用いることができる。さらに、本発明を記述するために所定の用語の使用はＵＭＴＳのような無線通信システムの、ある限定されたシステムのタイプに本発明の範囲を制限してはならない。本発明は他のエアーインターフェースおよび／または例えばＴＤＭＡ、ＣＤＭＡ、ＦＤＭＡ、ＷＣＤＭＡなどのような物理層を用いる他の無線通信システムにも適用可能である。
【０１３８】
好ましい実施形態は、ソフトウェア、ファームウエア、ハードウェアまたはこれらの任意の組合せを生成するための標準プログラミングおよび／またはエンジニアリング技術を用いる方法、装置または製造物として具現される。用語「製造物」はハードウェアロジック（例えば、集積回路チップ、 ＦＰＧＡ（field effect programmable gate array）、ＡＳＩＣ（application specific integrated circuit）等、または、コンピュータ読取可能な媒体（例えば、磁気ストレージ媒体（例えば、ハードディスクドライブ、フロッピー（登録商標）ディスク、テープ等）、光ストレージ（ＣＤ−ＲＯＭ、光ディスク等）、揮発性および非揮発性メモリデバイス（例えば、ＥＥＰＲＯＭ、ＲＯＭ、ＰＲＯＭ、ＲＡＭ、ＤＲＡＭ、ＳＲＡＭ、ファームウエア、プログラム可能なロジック等）で具現されたロジックまたはコードを言及するために用いられる。
【０１３９】
コンピュータ読取可能な媒体内のコードはプロセッサによりアクセスされ、実行される。好ましい実施形態で具現されるコードはさらに伝送媒体を介して、または、ネットワークを介したファイルサーバーからアクセス可能である。この場合、コードが具現される製造物は伝送媒体、例えばネットワーク伝送線、無線伝送線、大気を通じた信号電波、無線波、赤外線信号などを含む。勿論、当業者は本発明の範囲を外れることがなく、本発明に対する多数の修正が行なわれることができ、製造物が公知された任意の情報含有媒体を含むことを容易に認識するはずである。
【０１４０】
図面に示された論理実装は、特定の順序で起きる特定の動作を記述する。代案的な実装では、任意の論理動作は、他の手順、修正または除去され暗示された本発明の好ましい実施形態で実施されることができる。さらに、前述のロジックにステップが付加されることができ、このステップは本発明の具現に一致する。
【図面の簡単な説明】
【０１４１】
【図１】従来のＵＭＴＳネットワーク構造を示すブロック図である。
【図２】３ＧＰＰ無線アクセスネットワーク仕様を基にした従来の無線インターフェースプロトコルのアーキテクチャーを示すブロック図である。
【図３】３ＧＰＰ無線アクセスネットワーク仕様を基にしたＭＢＭＳを支援する従来のＭＡＣアーキテクチャーを示す図である。
【図４】Ａ：論理チャネルＭＴＣＨとＭＣＣＨの従来のマッピング構造を示す図である。Ｂ：ＭＢＭＳデータとＭＢＭＳ関連制御情報を伝送する従来の方法を示す図である。
【図５】本発明の第１実施形態に係るＭＢＭＳデータと制御情報の伝送を示す図である。
【図６】図５に係るＭＢＭＳ関連データと制御情報を送信し、受信する方法を示す図である。
【図７】本発明の第２実施形態に係るＭＢＭＳデータと制御情報の伝送を示す図である。
【図８】図７に係るＭＢＭＳ関連データと制御情報を送信し、受信する方法を示す図である。
【図９】本発明の第３実施形態に係るＭＢＭＳデータと制御情報の伝送を示す図である。
【図１０】図９に係るＭＢＭＳ関連データと制御情報を送信し、受信する方法を示す図である。
【図１１】Ａ：本発明の第４実施形態に係る論理チャネルＭＴＣＨとＭＣＣＨのマッピング構造を示す図である。Ｂ：図１１Ａのマッピング構造に係るＭＢＭＳデータと制御情報の伝送を示す図である。
【図１２】図１１Ａおよび１１Ｂに係るＭＢＭＳ関連データと制御情報を送信し、受信する方法を示す図である。
【図１３】Ａ：本発明の第５実施形態に係る論理チャネルＭＴＣＨとＭＣＣＨのマッピング構造を示す図である。Ｂ：図１３Ａのマッピング構造に係るＭＢＭＳデータと制御情報の伝送を示す図である。
【図１４】図１３Ａおよび１３Ｂに係るＭＢＭＳ関連データと制御情報を送信し、受信する方法を示す図である。
【図１５】Ａ：本発明の第５実施形態に係る付加論理チャネルＭＴＣＨとＭＣＣＨをマッピングするための構造を示す図である。Ｂ、Ｃ：図１５Ａのマッピング構造によるサービスＭＢＭＳ０およびサービスＭＢＭＳ１用ＭＢＭＳ関連データと制御情報の伝送および受信方法を示す図である。
【図１６】本発明の第５実施形態に係るＭＣＣＨチャネルを設定する方法を各々示す図である。
【図１７】本発明の一実施形態に係るサービスを移動体端末に伝送するためのネットワークを示す図である。
【図１８】本発明の一実施形態に係るネットワークからサービスを受信するための移動体通信デバイスを示す図である。
【符号の説明】
【０１４２】
１  ネットワーク構造、２  ＵＥ、４  コアネットワーク、６  ＵＴＲＡＮ、８  無線ネットワーサブシステム、１０、  ＲＮＣ
【図１】
2007503154.tif 000003
【図２】
2007503154.tif 000004
【図３】
2007503154.tif 000005
【図４】
2007503154.tif 000006
【図５】
2007503154.tif 000007
【図６】
2007503154.tif 000008
【図７】
2007503154.tif 000009
【図８】
2007503154.tif 000010
【図９】
2007503154.tif 000011
【図１０】
2007503154.tif 000012
【図１１】
2007503154.tif 000013
【図１２】
2007503154.tif 000014
【図１３】
2007503154.tif 000015
【図１４】
2007503154.tif 000016
【図１５】
2007503154.tif 000017
【図１６】
2007503154.tif 000018
【図１７】
2007503154.tif 000019
【図１８】
2007503154.tif 000020
【国際調査報告】
2007503154.tif 000021
2007503154.tif 000022